(57)【要約】【課題】センター役物に流路を複数併設しながら、流路毎に通過する態様を異ならせ、遊技球の流下態様としての見栄えを向上させ、遊技者の注目を十分に集め得るようにした弾球遊技機を提供する。【解決手段】流下部１８が、互に並列するワープ通路２７、案内通路２８及び案内路２９を有し、遊技球Ｂａの流下速度を低減する突起６９，６８ａ，６８ｂを有し、ワープ通路、案内通路及び案内路が、それぞれに流下する遊技球の流下速度が上記突起によって互に異なるように構成される。このため、センター飾りに案内通路及び案内路を併設しながら、遊技領域に打ち出された遊技球を流下させる際の流下速度をそれぞれに異ならせて遊技者に見せることで、遊技球の流下態様としての見栄えを良くすることができる。【選択図】図３
2009153679.tif 000002
【特許請求の範囲】
【請求項１】
遊技領域に配置したセンター役物に、該遊技領域に打ち出された遊技球を流下させる流下部を備えてなる弾球遊技機において、
前記流下部は、互に並列する複数の流路を有すると共に、遊技球の流下速度を低減する減速手段を有し、
前記複数の流路は、それぞれに流下する遊技球の流下速度が前記減速手段によって互に異なるように構成される、
ことを特徴とする弾球遊技機。
【請求項２】
前記センター役物は、前記遊技領域に打ち出された遊技球を導入し得る導入口、及び該導入口から導入された遊技球を転動させるステージを有してなり、
前記流路は、前記センター役物に設けられ、前記導入口から導入された遊技球を前記ステージに案内するワープ通路と、前記遊技領域に打ち出された遊技球を該ワープ通路の外側にて流下するように案内する案内通路と、前記遊技領域に打ち出された遊技球を該案内通路の外側にて流下するように案内する案内路とから構成される、
請求項１記載の弾球遊技機。
【請求項３】
前記減速手段は、前記複数の流路の何れかにおける円弧状の２つの対向面に交互に設けられた複数の突起を有し、
それら複数の突起は、前記２つの対向面の共通の曲率中心を中心とするように等角度間隔で互い違いに形成されてなる、
請求項１又は２記載の弾球遊技機。
【発明の詳細な説明】
【技術分野】
【０００１】
本発明は、パチンコ機等の弾球遊技機に係り、詳しくは、遊技領域での遊技球の流下態様に変化を与えて見栄えを向上させ得る弾球遊技機に関する。
【背景技術】
【０００２】
一般に、弾球遊技機、例えばパチンコ機として、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技領域下部のアウト口に流入するように構成されたものが知られている。
【０００３】
このようなパチンコ機では、一般入賞口に入球した際にはそれに対応した個数の遊技球が払い出され、また始動チャッカーに入球した際にはこれに基づいて当たり外れや演出パターンの抽選が行われると共に所定数の遊技球が払い出される。この抽選結果に基づき選定された演出パターンに応じて、例えば遊技盤の中央部分に設けられた液晶表示画面や各種の照明装置を介した視覚的表現、スピーカを介した聴覚的表現などを用い、様々な演出が行われる。なお、当たり（以下、「大当たり」ともいう）の発生時（つまり、特別遊技状態の抽選に当選した時）には、アタッカーと呼ばれる大入賞口が開放し、入球に対応して多量の遊技球が払い出される遊技者に有利な特別遊技状態となる。
【０００４】
上述した従来のパチンコ機において、遊技領域の中央部分にセンター飾りを備え、このセンター飾りの側部にワープ導入口を備え、このワープ導入口から入球した遊技球を始動チャッカー側に導くように転動させるステージを備えたものが存在する（特許文献１参照）。
【０００５】
上記特許文献１に記載されたパチンコ機では、ワープ導入口から入球した遊技球を、ステージ等からセンター飾り外に排出するまでの間に設けた各種の通路で動作演出を加えるなどの工夫がなされていたが、遊技中の遊技者は液晶等の画像表示装置に注目しがちであり、このような通路における演出では遊技者に装飾性を感じさせるまでに至らないものが散見された。そこで、遊技球を画像表示装置における画面の少なくとも一部の前方を通過させる案内路をセンター飾りに配設し、センター飾り内に入球した遊技球が案内路に案内されつつ画面前方を通過するような、従来にない新奇で意外性のある演出動作を提供し得るパチンコ機が提案されている。
【０００６】
【特許文献１】特開２００７−０３７７４０号公報
【発明の開示】
【発明が解決しようとする課題】
【０００７】
しかし、上記提案のパチンコ機では、上記案内路において、仮にその傾斜が緩く形成されていたとしても、遊技球が勢いよく入球したような場合には該遊技球が高速で案内されることから、遊技者が余裕をもってその演出動作を楽しむことができない虞があった。そのため、本発明者により、センター飾りに遊技球を案内する案内路を設けると共に、該案内路を、遊技者が視認し得る速度で遊技球を案内するようにしたパチンコ機が提案されているが、これによると、センター飾りに設けられたワープ通路等の通路と上記案内路とが併設の状態となるものの、それぞれに流下する態様が同様であり、遊技球の流下態様という意味では通路毎に代わり映えがなく、遊技者の注目を十分に集めることは困難であった。
【０００８】
そこで本発明は、センター飾り（センター役物）に流路を複数併設しながら、流路毎に通過する態様を異ならせ、遊技球の流下態様としての見栄えを向上させ、遊技者の注目を十分に集め得るように構成した弾球遊技機を提供することを目的とするものである。
【課題を解決するための手段】
【０００９】
請求項１に係る本発明は（例えば図１ないし図５参照）、遊技領域（３ａ）に配置したセンター役物（２３）に、該遊技領域に打ち出された遊技球（Ｂａ）を流下させる流下部（１８）を備えてなる弾球遊技機（１）において、
前記流下部（１８）は、互に並列する複数の流路（２７，２８，２９）を有すると共に、遊技球（Ｂａ）の流下速度を低減する減速手段（６９，６８ａ，６８ｂ）を有し、
前記複数の流路（２７，２８，２９）は、それぞれに流下する遊技球の流下速度が前記減速手段（６９，６８ａ，６８ｂ）によって互に異なるように構成される、
ことを特徴とする弾球遊技機（１）にある。
【００１０】
請求項２に係る本発明は（例えば図３及び図４参照）、前記センター役物（２３）は、前記遊技領域（３ａ）に打ち出された遊技球（Ｂａ）を導入し得る導入口（２６）、及び該導入口（２６）から導入された遊技球を転動させるステージ（Ｓ）を有してなり、
前記流路は、前記センター役物（２３）に設けられ、前記導入口（２６）から導入された遊技球（Ｂａ）を前記ステージ（Ｓ）に案内するワープ通路（２７）と、前記遊技領域（３ａ）に打ち出された遊技球（Ｂａ）を該ワープ通路（２７）の外側にて流下するように案内する案内通路（２８）と、前記遊技領域（３ａ）に打ち出された遊技球（Ｂａ）を該案内通路（２８）の外側にて流下するように案内する案内路（２９）とから構成される、
請求項１記載の弾球遊技機（１）にある。
【００１１】
なお、本発明における上記「ワープ」とは、遊技領域に打ち出された遊技球を、該遊技領域の比較的下側に位置する道釘を経る等の経路を辿ることなく、大当たり抽選の契機となる入賞が行われる始動入賞口側に導くことを意味する概念である。
【００１２】
請求項３に係る本発明は（例えば図４参照）、前記減速手段（６９，６８ａ，６８ｂ）は、前記複数の流路の何れか（例えば２８）における円弧状の２つの対向面（２８ａ，２８ｂ）に交互に設けられた複数の突起（６８ａ，６８ｂ）を有し、
それら複数の突起（６８ａ，６８ｂ）は、前記２つの対向面（２８ａ，２８ｂ）の共通の曲率中心（Ｃ）を中心とするように等角度間隔で互い違いに形成されてなる、
請求項１又は２記載の弾球遊技機（１）にある。
【００１３】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１４】
請求項１に係る本発明によると、流下部が、互に並列する複数の流路を有すると共に、遊技球の流下速度を低減する減速手段を有し、複数の流路が、それぞれに流下する遊技球の流下速度が減速手段によって互に異なるように構成されるので、センター役物に複数の流路を併設しながら、遊技領域に打ち出された遊技球を流下させる際の流下速度をそれぞれに異ならせて遊技者に見せることで、遊技球の流下態様としての見栄えを良くし、遊技者の注目を十分に集めることができる。
【００１５】
請求項２に係る本発明によると、センター役物が、遊技領域に打ち出された遊技球を導入し得る導入口、及び該導入口から導入された遊技球を転動させるステージを有してなり、流路が、センター役物に設けられ、遊技球をステージに案内するワープ通路と、遊技球を該ワープ通路の外側にて流下するように案内する案内通路と、遊技球を該案内通路の外側にて流下するように案内する案内路とから構成されるので、同じ用途の流路ではなく、用途が違うワープ通路、案内通路、案内路の流下速度を互に異ならせることで、複数の流路に対する遊技者の期待度に段階をつけることができる。
【００１６】
請求項３に係る本発明によると、減速手段が、並列流路の何れかにおける円弧状の２つの対向面に交互に設けられた複数の突起を有し、それら複数の突起が、２つの対向面の共通の曲率中心を中心とするように等角度間隔で互い違いに形成されるので、複数の流下する遊技球の中で一方の対向面の突起に接触した際に跳躍したものが、他方の対向面の突起に接触し、その際の跳ね返りによって再び一方の対向面に落下し、下流側に位置する次の突起に向かって転動するように動作する。この場合、流下する遊技球は、突起に対して交互に当接して流路内をジグザグに転がり移動することになり、流下速度が効果的に低減される。
【発明を実施するための最良の形態】
【００１７】
以下、本発明に係る弾球遊技機の実施の形態として、遊技場等に設置されるパチンコ機を図面に沿って説明する。図１は、本実施形態におけるパチンコ機の外部構造を示す正面図である。なお、本実施形態では、本発明の弾球遊技機を、始動チャッカーを２箇所有する所謂１種１種のパチンコ機として述べるが、本発明はこれに限らず、他の機能を有するパチンコ機にも適用可能であることは勿論である。
【００１８】
本実施形態のパチンコ機１は、図１に示すように、発射ハンドル２の操作による発射装置（図示せず）の作動で遊技球（所謂パチンコ玉）を遊技盤３の遊技領域３ａに向かって打ち出しつつ遊技を行うもので、所謂確率変動等の大当たり（特別遊技状態）が発生した状態でアタッカー５に入球した遊技球に対応する数の遊技球を払い出すように構成される。上記確率変動当たり（「確変当たり」ともいう）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００１９】
本パチンコ機１は、開口を有する枠体状の筐体６と、該筐体６に開閉可能に装着された前扉７とを有しており、前扉７の前面には、透明ガラス９を有するガラス枠１０が開閉可能に取り付けられている。透明ガラス９の奥側には、遊技盤３が配設されている。前扉７における遊技盤３の左右には演出用照明装置１１が配設されており、前扉７における遊技盤３の上方左右及び下方左右にはスピーカー（図示せず）を有する放音装置１２が配設されている。ガラス枠１０における右側部には、前扉７を筐体６側に施錠し解放する施錠装置１３が配設されている。なお、筐体６及び前扉７等から遊技機本体が構成される。
【００２０】
前扉７における遊技盤３の下方には皿ユニット１６が設けられており、皿ユニット１６における右上部には、賞球及び貸球を含む遊技球が供給される球供給口１７が設けられ、皿ユニット１６における右上部壁面には、球貸ボタン１９ａ及びプリペイドカード返却ボタン１９ｂが設けられている。皿ユニット１６には、該皿ユニット１６上の遊技球を発射装置（図示せず）付近から皿ユニット下部の球排出口（図示せず）を通して下方に排出するための第１球抜きボタン２０ａと、皿ユニット１６上の遊技球を球供給口１７付近から上記球排出口を通して下方に排出するための第２球抜きボタン２０ｂとが設けられている。
【００２１】
また、皿ユニット１６の右部には、上記発射装置を操作して遊技球を遊技領域３ａに向けて打ち出すための発射ハンドル２が配設されており、皿ユニット１６の左下方の台座部１５には灰皿２１及び遊技者参加ボタン（所謂チャンスボタン）２２が配設されている。なお、図１中の符号１４は、発射ハンドル２の操作で発射された遊技球Ｂａを遊技領域３ａに導くガイドレールを示し、符号５５は、遊技中の状態をＬＥＤの発光などで報知する状態表示部を示している。
【００２２】
遊技領域３ａには、中央部に形成された開口部３７と、遊技領域３ａに打ち出された遊技球Ｂａを導入し得るように左上部に形成されたワープ導入口（導入口）２６と、該ワープ導入口２６から導入された遊技球Ｂａを転動させるステージＳと、を有するセンター飾り（センター役物）２３を備えている。該センター飾り２３は、開口部３７の下側に上記ステージＳを有しており、該ステージＳの下方に球放出口２４を有している。
【００２３】
上記ステージＳは、図２に示すように、遊技盤３の前後方向に隣接する転動路５２，５３，５４を有しており、これらの最後部に、後方の画像表示装置３４の画面とステージＳとを区切る境界部材４８を有している。また転動路５２は、ワープ導入口２６から導入されてワープ通路２７及び案内路３０を経て放出口３１から放出された遊技球の勢いが弱まった際等に前側の転動路５４に導く湾曲状凹部５６ａ，５６ｂを有している。転動路５３は、転動路５２から流下してきた遊技球をその勢いが弱まった際等に前側の転動路５４に導く湾曲状凹部５７ａ，５７ｂと、転がり移動する遊技球を落下孔４９に導く案内凹部５９と、を有している。転動路５４は、転動路５３から流下してきた遊技球をその勢いが弱まった際等にステージ下方に落下させるように導く湾曲状凹部５８ａ，５８ｂと、転がり移動する遊技球を、直下方の始動チャッカー４２に落下するように導く案内凹部６０と、を有している。
【００２４】
センター飾り２３は、図３に示すように、開口部３７の左上部にて画像表示装置３４の左上部の前側に対向するように、遊技領域３ａに打ち出された遊技球Ｂａを流下させる流下部１８を有している。該流下部１８は、ワープ導入口２６から導入された遊技球Ｂａを案内路３０を介してステージＳに流下・案内するワープ通路２７と、遊技領域３ａに打ち出された遊技球Ｂａを該ワープ通路２７の外側にて流下するように案内する案内通路２８と、遊技領域３ａに打ち出された遊技球Ｂａを該案内通路２８の外側にて流下するように案内する案内路２９と、から構成される。上記案内路３０の下流端には、放出口３１が設けられている。
【００２５】
なお、図３及び図４（ａ）におけるワープ通路２７は、図１に記載するように表面を覆っている木の葉（或いは草）状のカバーを取り外した状態で描いている。
【００２６】
ワープ通路２７、案内通路２８及び案内路２９は、図３及び図４（ａ）に示すように、互に並列するように構成されると共に、遊技球Ｂａの流下速度を低減する減速手段として突起６９及び突起６８ａ，６８ｂを有している。つまり、ワープ通路２７は、内側の下面２７ａに突起６９を有するだけで上面２７ｂには突起を有さず、案内通路２８は、内側の円弧状の下面（対向面）２８ａ及び上面（対向面）２８ｂの双方に突起６８ａ，６８ｂを有している。案内路２９は、流下面２９ａに突起を全く有していない。
【００２７】
上記突起６８ａは複数個（本実施形態では９個）が形成され、上記突起６８ｂは複数個（本実施形態では８個）が形成されており、円弧状の２つの上面２８ｂ及び下面２８ａの曲率中心Ｃから延びる線分Ｌに対して交互に千鳥状になるように位置している。すなわち、案内通路２８における上記円弧状の２つの面２８ａ，２８ｂに交互に設けられた突起６８ａ，６８ｂをそれぞれ複数有し、これら複数の突起６８ａ，６８ｂが、上記下面２８ａ及び上面２８ｂの共通の曲率中心Ｃを中心とするように等角度間隔で互い違いに形成されている。
【００２８】
上記構成により、案内通路２８では、複数の流下する遊技球Ｂａの中で下面２８ａの突起６８ａに接触した際に跳躍したものが、上面２８ｂの突起６８ｂに接触し、その際の跳ね返りによって再び下面２８ａに落下し、下流側に位置する次の突起６８ａに向かって転動するように動作する。
【００２９】
上記ワープ通路２７、案内通路２８及び案内路２９は、センター飾り２３の内側から外側に向けて順に設けられると共に、上記突起６９及び突起６８ａ，６８ｂにより、それぞれに流下する遊技球Ｂａの流下速度が互に異なるように構成される。具体的には、遊技球Ｂａの流下速度は、突起の無い案内路２９、下面２７ａにのみ突起６９を有するワープ通路２７、下面２８ａと上面２８ｂに突起６８ａ，６８ｂを有する案内通路２８の順に遅くなるように設定されている。この場合、案内通路２８を流下する遊技球Ｂａは、突起６８ａ，６８ｂに対して交互に当接し、該案内通路２８内をジグザグに転がり移動することとなり、開口２８ｅへの入球から放出口２８ｄからの排出までの経過時間が長くなり、従って、流下速度が、ワープ通路２７よりも一層効果的に低減される。
【００３０】
なお、本実施形態では、突起６９及び突起６８ａ，６８ｂのサイズ（突出量）を同等のものとして構成しているが、例えば、突起６９のサイズを突起６８ａ，６８ｂよりも大きく設定することで、ワープ通路２７内での流下速度を、突起６９のサイズが突起６８ａ，６８ｂと同等の場合に比して案内通路２８内での流下速度に近づけることができる。これ以外にも、突起６８ａ，６８ｂを互いに異なるサイズにするなどにより、流下速度の違いを更に多様化させることができる。
【００３１】
ワープ通路２７内の下流端には、案内路３０に連通して遊技球Ｂａを該案内路３０に受け渡すための穴部２７ｃが形成され、案内通路２８の下流端には、遊技領域３ａに打ち出されて上流端の開口２８ｅから受け入れた遊技球Ｂａを遊技領域３ａに再び放出する放出口２８ｄが形成されている。開口２８ｅの更に上流側には、下流側の上面２８ｂや下面２８ａよりも緩やかな傾斜面として形成された案内面２８ｃが設けられている。
【００３２】
また、案内通路２８の下面２８ａに設けた突起６８ａは、緩斜面である案内面２８ｃからの遊技球Ｂａを止めないように確実に円滑に流下させるようにするため、以下のように設定されている。
【００３３】
すなわち、突起６８ａは、遊技球Ｂａが転動し得る傾斜面である下面２８ａに、突出量が遊技球Ｂａの半径よりも小さく構成（少なくとも転動した際の遊技球Ｂａが乗り越え得る大きさに構成）されており、下面２８ａと突起６８ａとに接触した状態（図４(b)参照）の遊技球Ｂａの重心ｃが、該突起６８ａの頂点を越えた位置になるように配設されている。言い換えると、下面２８ａの突起６８ａを有する部位に対し、少なくとも一部が水平方向Ｈよりも鉛直方向Ｖの上方側に突出した部分（引っ掛かる部分）を有する当該突起６８ａが配設されている。
【００３４】
このような構成を有する案内通路２８では、緩斜面である案内面２８ｃから転がり移動してくる遊技球Ｂａが、如何にその流下速度が遅い場合であっても、止めることなく確実に流下させることができる。これにより、案内通路２８での球詰まりを確実に防止して、弾球遊技を円滑に進めることができる。
【００３５】
なお、減速手段としての突起６９，６８ａ，６８ｂによって、並列する流路それぞれの流下速度を異ならせる構成は、本実施形態ではセンター飾り２３のワープ通路２７、案内通路２８及び案内路２９を備えた流下部１８に適用するが、センター飾り２３のステージＳにおける転動路５２，５３，５４を当該流下部として考え、これら転動路５２，５３，５４に、互いの転がり速度が異なるように突起を設けるようにする場合は、流下速度を異ならせる上記構成をステージＳに適用することが可能である。
【００３６】
一方、図１に示すように、遊技盤３には、上記画像表示装置３４が、開口部３７から画面を露出させた状態で遊技盤裏側から装着されている。センター飾り２３の下部左側には、大当たり抽選（特別遊技状態の抽選）に寄与しない一般の入賞が行われる入賞口（図示せず）が配設されており、センター飾り２３の下方には、始動チャッカー４２，４３、及びアタッカー５が順次配設されている。
【００３７】
また、始動チャッカー４２の直上方には、所謂命釘としての一対の障害釘３５が打ち込まれている。始動チャッカー４３の左方には、普通図柄抽選の契機となる入球が行われる普通図柄作動ゲート（スルーゲート）３２が配設されている。アタッカー５の下方には、発射ハンドル２の操作で遊技領域３ａに打ち出された遊技球を遊技盤３の裏面に排出するためのアウト口３９が設けられている。
【００３８】
始動チャッカー４２，４３は、それぞれ大当たり抽選実行の契機となり得る入賞が行われるものであり、始動チャッカー４３は、始動チャッカー開閉ソレノイド（図示せず）によって開放位置と閉止位置とに開閉動作するように作動させられる。始動チャッカー４３は開閉式作動入賞部（所謂チューリップ）として形成されており、始動チャッカー４２は、開閉式作動入賞部ではない非作動な入賞口として形成されている。始動チャッカー４３は、直上方に位置する始動チャッカー４２の存在により、開放時にのみ入賞し得るように構成される。
【００３９】
アタッカー５は、始動チャッカー４２，４３への入賞に基づいて行われた大当たり抽選で当選した際に開閉して入賞が行われるものであり、アタッカー開閉ソレノイド（図示せず）によって開放位置と閉止位置とに開閉動作するように作動させられる。アタッカー５は、大当たり中、遊技球を入賞させる際、１回の開放で例えば９個の入球（即ち９カウント）を完了した時点で閉じ、この開閉動作を例えば１５回（即ち１５ラウンド）繰り返すように構成される。なお、これらカウント数及びラウンド数は、これらに限定されることはなく、設計に応じて適宜変更され得るものである。
【００４０】
遊技領域３ａにおけるセンター飾り２３の下方には、ステージＳから零れた遊技球や、発射されてからステージＳに関与せずに落下してくる遊技球を適宜散らし、或いは入球に導くようにするための障害釘３５を含む多数の障害釘が打ち込まれている。また、ワープ導入口２６の周囲及びその上方側にも、障害釘２５をはじめとする多数の障害釘が打ち込まれている。
【００４１】
なお、本実施形態における「ワープ」とは、遊技領域３ａに打ち出された遊技球を、該遊技領域３ａの比較的下側に位置する道釘３６を経る等の経路を辿ることなく始動チャッカー４２側に導くことを意味する概念である。道釘３６は、遊技領域３ａにおいて始動チャッカー４２，４３の左右に打ち込まれた障害釘の列であり、上方から転動落下してきた遊技球を始動チャッカー４２，４３方向に導く役割を担う。
【００４２】
ついで、本パチンコ機１の背面構造について図５を参照して説明する。同図は、本パチンコ機１の背面構造を示す背面図である。
【００４３】
すなわち、図５に示すように、パチンコ機１の前扉背面における上部左方には、賞球タンク４４が取り付けられており、該賞球タンク４４の下方に、副制御基板３８、主制御基板４０、及び払出し制御基板５１がこの順に配設されている。また、前扉背面における上部右方には、外部端子板７４が取り付けられており、この外部端子板７４の下方に、整列待機通路４５、賞球装置４６、賞球排出通路４７、電源ユニット４１、及び発射装置（図示せず）用の発射制御基板７５がこの順に配設されている。パチンコ機１の前扉背面における左側部には、施錠装置１３が配設されている。
【００４４】
主制御基板４０は、本パチンコ機１の動作全体を統括的に管理するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。また、副制御基板３８は、主に画像表示、効果音等の演出、効果光等の表示制御を行うように構成されている。
【００４５】
次に、本パチンコ機１による作用について説明する。すなわち、本パチンコ機１に対面して着座した遊技者が発射ハンドル２を握り、適宜の角度に回動操作すると、不図示の発射装置の作動で遊技球が所定の時間間隔で遊技領域３ａに向けて連続的に発射される。すると、遊技領域３ａに打ち出されて転動落下する多数の遊技球は、始動チャッカー４２，４３、不図示の入賞口等に適時入賞し、或いは、これらに関与せずに転動落下して、遊技領域３ａ最下部のアウト口３９から遊技盤３背面側に排出される。
【００４６】
その際、遊技領域３ａに打ち出された多数の遊技球のうちの一部がワープ導入口２６に入球すると、該遊技球は、ワープ通路２７及び案内路３０を流下して、放出口３１から、ステージＳの転動路５２に放出される。すると、該遊技球は、放出口３１から放出された際の慣性力で転動路５２をその右端部に向けて転がり移動する。
【００４７】
転動路５２を転がり移動する遊技球は、右端部に到達して折り返した後、その勢いが弱まった時点で湾曲状凹部５６ａ，５６ｂの何れかから下方の転動路５３側に流下し、その流れの方向に応じて、転動路５３上を転がり移動し、或いは湾曲状凹部５７ａ，５７ｂの何れかから転動路５４側に流下する。転動路５３上を転がり移動する場合、遊技球はその勢いが弱まった時点で湾曲状凹部５７ａ，５７ｂの何れかから転動路５４側に流下するか、案内凹部５９に導かれて落下孔４９に落下し球放出口２４から放出されて高い入賞確率（略１００％）で始動チャッカー４２に入賞する。
【００４８】
また、転動路５４上を転がり移動する遊技球は、その勢いが弱まった時点で湾曲状凹部５８ａ，５８ｂの何れかから遊技領域３ａに落下するか、案内凹部６０に導かれて始動チャッカー４２側に落下する。この場合、案内凹部６０から落下する遊技球は、上記のように球放出口２４から落下する場合に比して始動チャッカー４２への入賞率は低くなる。
【００４９】
そして、上述の弾球遊技中、遊技領域３ａに打ち出されて流下する遊技球が流下部１８に至った際、ワープ導入口２６から導入されてワープ通路２７を流下する遊技球Ｂａと、ワープ導入口２６から導入されずに案内面２８ｃから開口２８ｅに導入されて案内通路２８を流下する遊技球Ｂａと、ワープ導入口２６にも開口２８ｅにも導入されずに案内路２９を流下する遊技球Ｂａとは、それぞれに流下速度が異なっている。
【００５０】
つまり、流下部１８が、互に並列するワープ通路２７、案内通路２８及び案内路２９を有し、遊技球Ｂａの流下速度を低減する突起６９，６８ａ，６８ｂを有し、ワープ通路２７、案内通路２８及び案内路２９が、それぞれに流下する遊技球Ｂａの流下速度が突起６９，６８ａ，６８ｂによって互に異なるように構成されるため、センター飾り２３にワープ通路２７、案内通路２８及び案内路２９を併設しながら、遊技領域３ａに打ち出された遊技球Ｂａを流下させる際の流下速度をそれぞれに異ならせて遊技者に見せることで、遊技球Ｂａの流下態様としての見栄えを良くし、遊技者の注目を十分に集めることができる。
【００５１】
また、本実施形態では、センター飾り２３が、遊技領域３ａに打ち出された遊技球Ｂａを導入し得るワープ導入口２６、及び該ワープ導入口２６から導入された遊技球Ｂａを転動させるステージＳを有し、流路が、センター飾り２３に設けられ、遊技球ＢａをステージＳに案内するワープ通路２７と、遊技球Ｂａを該ワープ通路２７の外側にて流下するように案内する案内通路２８と、遊技球Ｂａを該案内通路２８の外側にて流下するように案内する案内路２９とから構成される。このため、同じ用途の流路ではなく、用途が違うワープ通路２７、案内通路２８、案内路２９の流下速度を互に異ならせることで、複数の流路に対する遊技者の期待度に段階をつけることができる。
【００５２】
以上、本発明をその好適な実施形態に基づいて説明したが、本発明の弾球遊技機は、上記実施形態の構成にのみ限定されるものではなく、上記実施形態の構成から種々の修正及び変更を施した弾球遊技機も、本発明の範囲に含まれる。
【図面の簡単な説明】
【００５３】
【図１】本発明を適用したパチンコ機の外部構造を示す正面図である。
【図２】センター飾りを一部省略した状態で示す斜視図である。
【図３】センター飾りを一部省略した状態で示す正面図である。
【図４】センター飾りに備えた流下部の構成を詳細に示す、一部抜粋した正面図である。
【図５】本発明を適用したパチンコ機の背面構造を示す背面図である。
【符号の説明】
【００５４】
１    弾球遊技機（パチンコ機）
３  遊技盤
３ａ    遊技領域
１８    流下部
２３    センター役物（センター飾り）
２６    導入口（ワープ導入口）
２７，２８，２９    流路（ワープ通路、案内通路、案内路）
２８ａ，２８ｂ    ２つの対向面（下面、上面）
６８ａ，６８ｂ，６９    減速手段（突起）
Ｂａ    遊技球
Ｃ    曲率中心
Ｌ    線分
Ｓ    ステージ
【図１】
2009153679.tif 000003
【図２】
2009153679.tif 000004
【図３】
2009153679.tif 000005
【図４】
2009153679.tif 000006
【図５】
2009153679.tif 000007